(57)【要約】  【課題】  カメラで撮影した映像、相手から送信された映像などを巧みに組み合わせて楽しい思い出映像を加工、編集できる携帯端末装置を提供する。  【解決手段】  カメラで撮影した映像、相手より受信した映像をそれぞれ記憶する映像記憶部３０と、前記映像記憶部３０に記憶された映像を任意に読み出し加工処理する映像加工処理部３１と、前記映像加工処理部３１によって加工処理された映像を含めて複数の映像を連続的に接続して編集する映像編集部３２と、前記映像編集部３２によって編集された映像を表示指示する表示指示部と、前記表示指示部によって前記編集された映像の表示が指示されたとき、前記編集された映像を表示する表示部４とを備える。これにより、カメラで撮影した映像、相手より受信した映像をそれぞれ任意に合成、加工処理し、組み合わせ、編集してそれを表示部４に表示することができる。【選択図】  図２
2005242643.tif 000002
【特許請求の範囲】
【請求項１】
カメラで撮影した映像、相手より受信した映像をそれぞれ記憶する映像記憶手段と、前記映像記憶手段によって記憶された映像を任意に読み出し加工処理する映像加工処理手段と、前記映像加工処理手段によって加工処理された映像を含めて複数の映像を連続的に接続して編集する映像編集手段と、前記映像編集手段によって編集された映像を表示指示する表示指示手段と、前記表示指示手段によって前記編集された映像の表示が指示されたとき、前記編集された映像を表示する表示手段とを備えた携帯端末装置。
【請求項２】
前記表示指示手段が、手入力で表示指示を行う操作部を含むことを特徴とする請求項１記載の携帯端末装置。
【請求項３】
前記表示指示手段が、筐体を開放したことを検出する検出手段を含むことを特徴とする請求項１記載の携帯端末装置。
【請求項４】
前記映像加工処理手段によって加工処理される内容が、カメラで撮影された映像を連続して動的に拡大、縮小、回転、反転、歪曲、合成、移動の少なくとも１つ、または、それ以上を行う加工処理であることを特徴とする請求項１〜３のいずれか１項記載の携帯端末装置。
【請求項５】
前記映像加工処理手段によって加工処理される映像や前記映像編集手段によって編集される映像、及び、これらの映像の表示順序、表示時間をそれぞれ任意に設定できる設定手段を更に有することを特徴とする請求項１〜４のいずれか１項記載の携帯端末装置。
【請求項６】
電子メール送信手段を更に備え、前記編集した映像を前記電子メール送信手段によって送信可能に構成した請求項１〜５のいずれか１項記載の携帯端末装置。
【請求項７】
音声記憶手段を更に備え、前記記憶した音声を前記編集した映像と共に同時に視聴可能に構成した請求項１〜６のいずれか１項記載の携帯端末装置。
【発明の詳細な説明】
【技術分野】
【０００１】
本発明は、カメラを備え、カメラで撮影した映像を複数蓄積可能な携帯端末装置に関する。
【背景技術】
【０００２】
従来、携帯端末装置において、カメラを備えたものは多く見られる。しかし、これらのものは、いずれも、カメラで撮影した映像をそのまま記録部に記録し、表示部に表示したり、相手に送信したり、あるいは、外部に出力してプリントしたりするように構成しただけのものである。そして、相手から送信されてきた映像も、単に、それを受信し、記録し、そのまま表示部に表示したり、外部に出力してプリントしたりするだけのものであり、余り娯楽性に富むものではなかった。
【０００３】
一方、カメラで撮影した映像を相手にそのまま送信したのではプライバシーなどの問題もあり、そのために、その場合には、モザイク加工をして送信すると言うものも知られている。（例えば、特許文献１参照）
【０００４】
そして、この特許文献には、画像処理として、例えば、画像情報の一部を拡大、縮小処理するなどの方法により、娯楽性を持たせることも記載されている。
【特許文献１】特開２０００−３５４２３３号公報（第３−５頁、図４）
【発明の開示】
【発明が解決しようとする課題】
【０００５】
しかしながら、特許文献１に記載されたものは、あくまでも、カメラで撮影した映像をそのまま送信せずにモザイク処理するというものであり、拡大、縮小するのも単に拡大、縮小して相手に送信すると言うだけのものであり、いずれも、思い出を思い出として楽しく振り返ると言う娯楽性に富んだものではなかった。
【０００６】
本発明は、このような従来の問題に鑑みてなされたものであり、カメラで撮影した映像、相手から送信された映像などを巧みに組み合わせて楽しい思い出映像を加工、編集できる携帯端末装置を提供することを目的とするものである。
【課題を解決するための手段】
【０００７】
本発明の携帯端末装置は、カメラで撮影した映像、相手より受信した映像をそれぞれ記憶する映像記憶手段と、前記映像記憶手段によって記憶された映像を任意に読み出し加工処理する映像加工処理手段と、前記映像加工処理手段によって加工処理された映像を含めて複数の映像を連続的に接続して編集する映像編集手段と、前記映像編集手段によって編集された映像を表示指示する表示指示手段と、前記表示指示手段によって前記編集された映像の表示が指示されたとき、前記編集された映像を表示する表示手段とを備えた構成を有する。
【０００８】
この構成により、カメラで撮影した映像、相手より受信した映像をそれぞれ任意に加工処理し、組合わせ接続して編集し、それを表示することができ、例えば、どこかへ行ったとき撮影した複数の映像をそれぞれ任意に加工編集すれば、これによってその時の思い出をより思い出らしく表示部に表示することができ、皆で見て大いに楽しむことができると言う作用を有する。
【０００９】
また、本発明の携帯端末装置は、表示指示手段が、手入力で表示指示を行う操作部を含む構成を有する。
【００１０】
この構成により、操作部を用いて所定の操作を行うことにより、いつでも、どこでも、加工、編集された映像を任意に観ることができ、より娯楽性を高めることができる。
【００１１】
また、本発明の携帯端末装置は、表示指示手段が、筐体を開放したことを検出する検出手段を含む構成を有する。
【００１２】
この構成により、筐体を開放すると、それが検出され、その検出によって加工、編集された映像が表示部に表示されることになり、筐体を開放する毎に思い出を振り返って楽しむことができる。
【００１３】
また、本発明の携帯端末装置は、映像加工処理手段によって加工処理される内容が、カメラで撮影された映像を連続して動的に拡大、縮小、回転、反転、歪曲、合成、移動の少なくとも１つ、または、それ以上を行う加工処理である構成を有する。
【００１４】
この構成により、カメラで撮影した映像や相手より受信した映像がそれぞれ連続して動的に拡大、縮小、回転、反転、歪曲、合成、移動の少なくとも１つ、または、それ以上を行う形態に加工、編集されることになり、その加工、編集の内容を非常にユニークかつ任意のものにすることができる。
【００１５】
また、本発明の携帯端末装置は、映像加工処理手段によって加工処理される映像や映像編集手段によって編集される映像、及び、これらの映像の表示順序、表示時間をそれぞれ任意に設定できる設定手段を更に備えた構成を有する。
【００１６】
この構成により、加工処理される映像、編集される映像を任意に選択し、それらの加工、処理の方法、順序、時間を任意に決定して、これらを組み合わせ一連の動的な映像とすることができ、より楽しく思い出などを視聴することができると言う作用を有する。
【００１７】
また、本発明の携帯端末装置は、電子メール送信手段を更に備え、編集した映像を電子メール送信手段によって送信可能な構成を有する。
【００１８】
この構成により、任意に加工、編集した映像を電子メールを用いて友達などに送信することができ、友達などと映像を共有して楽しむことができる。
【００１９】
また、本発明の携帯端末装置は、音声記憶手段を更に備え、記憶した音声を編集した映像と共に視聴可能な構成を有する。
【００２０】
この構成により、映像に加えて、その映像、思い出に相応しい音楽、音声などを記録しておき、映像と共に再生することができ、より臨場感に満ちた状態で思い出などを振り替えることができると言う作用を有する。
【発明の効果】
【００２１】
本発明は、カメラで撮影した映像、相手より受信した映像をそれぞれ任意に加工処理し、組合わせ接続し、編集してそれを表示することができ、例えば、どこかへ行ったときに撮影した複数の映像をそれぞれ任意に加工編集すれば、これによってその時の思い出をより思い出らしく表示部に表示することができ、より楽しく見ることができると言う効果を有する。
【発明を実施するための最良の形態】
【００２２】
以下、本発明の最良の実施の形態について説明する。
【００２３】
図１は、本発明の一実施の形態における携帯端末装置の正面図である。
【００２４】
本発明の一実施の形態における携帯端末装置は、図１に示すように、第１、第２の筐体１、２と、これらを互いに開閉可能に連結するヒンジ部３とを備えている。そして、第１の筐体１には、正面に比較的大きな表示部４を有し、この表示部４より上方の筐体端部にはレシーバ用の透孔５が形成されている。また、第２の筐体２には、上下、左右、垂直に操作可能なナビキー６や、各種機能キー７、数字や文字などを入力するテンキー８等よりなる操作部９が設けられ、操作部９より下方の筐体端部には、マイク用の透孔１０が設けられている。
【００２５】
なお、図１では現れていないが、第１の筐体１の背面には、カメラが取付けられ、また、表示部４より小さいサブ表示器が取付けられている。そして、第１、第２の筐体１、２のいずれか一方の端部には、第１、第２の筐体１、２を互いに開放したとき、閉じたときに関わらず見ることが可能な呼出時報知用の発光ダイオードなどの光学報知器が取付けられている。
【００２６】
次に、図２、図３を用いて、本発明の一実施の形態における携帯端末装置の概略構成を説明する。ここで、図２は、本発明の一実施の形態における携帯端末装置の概略構成を示すブロック図、図３は、同装置において使用する映像記憶部の構成を示す概念図である。
【００２７】
本発明の一実施の形態における携帯端末装置は、図２に示すように、外部との間で電話通信や電子メール、インターネットなどを行うための無線送受信部２１と、無線送受信部２１を介して送受信される音声信号を入出力する音声入出力部２２と、音声入出力部２２に接続されたマイク２３、レシーバ２４と、無線送受信部２１を介して外部より呼出があったとき、その呼出信号を出力する呼出信号出力部２５と、呼出信号出力部２５に接続された呼出用のスピーカ２６、振動子２７、発光ダイオードなどの光学報知器２８と、先に説明したカメラ２９と、カメラ２９で撮影した映像や無線送受信部２１で受信した映像をそれぞれ記憶する映像記憶部３０と、映像記憶部３０に記憶された映像をそれぞれ予め設定された状態に加工処理する映像加工処理部３１と、加工処理された映像を含めて、複数の映像を互いに接続し、編集する映像編集部３２と、これらを制御する制御部３３とを備えている。
【００２８】
なお、表示部４は、無線送受信部２１を介して送受信される映像信号や文字、その他の情報を任意に表示するように構成され、また、操作部９は、任意に各種情報、指令などを入力可能なようにされている。そして、カメラ２９で撮影した映像や無線送受信部２１で受信した映像は、図３に示すように、それぞれ写真ＮＯやタイトル、撮影日、撮影場所などを付加して映像記憶部３０に記憶可能なように構成されている。
【００２９】
次に、本発明の一実施の形態における携帯端末装置について、その動作を詳細に説明する。
【００３０】
先ず、本実施の形態における携帯端末装置は、無線送受信部２１、音声入出力部２２、呼出信号出力部２５、操作部９、表示部４などを用いて、外部と電話、電子メール、インターネットなどを任意に行うことができるように構成されている。
【００３１】
相手に電話をする場合には、操作部９を用いて相手の電話番号を入力し、それを表示部４に一旦表示し、その状態で、発信操作を行うことにより、その電話番号が無線送受信部２１を介して電話通信会社に送信され、相手が呼出される。相手がその呼出しに応答すれば、それが無線送受信部２１で受信され、制御部３３の制御の基で、相手との間で通話回路が形成される。したがって、この状態で、マイク２３、レシーバ２４を用いて相手と通話することができる。
【００３２】
また、相手から呼出があった場合には、それが無線送受信部２１で受信され、制御部３３の制御の基で、呼出信号出力部２５に所定の呼出信号が出力され、それがスピーカ２６、振動子２７、光学報知器２８などにそれぞれ印加される。したがって、それに応えて所定の操作、すなわち、閉じられた第１、第２の筐体１、２を互いに開放する、或いは、操作部９を用いて所定の操作をするなどをすると、それが制御部３３で検知され、制御部３３の制御の基で、マイク２３、レシーバ２４を用いて相手との間で通話することができるようになる。
【００３３】
また、電子メールの場合には、操作部９や表示部４を用いて任意に電子メールの文章を作成し、相手のメールアドレスを入力して無線送受信部２１を介して電子メールプロバイダに送信することにより、電子メールプロバイダを介して、電子メールを相手に送信することができる。そして、相手からの電子メールは、無線送受信部２１を介して受信し、任意に記憶し、表示部４に表示することができる。
【００３４】
インターネットの場合も、電子メールの場合と同様、操作部９や表示部４を用いて任意にインターネットアドレスを入力し、それをインターネットプロバイダに送信することにより、インターネットプロバイダから、必要な情報を無線送受信部２１を介して受信し、任意に記憶し、表示部４に表示することができる。
【００３５】
ところで、本実施の形態における携帯端末装置は、以下説明するように、カメラ２９で撮影した映像や、電子メール、インターネットなどで受信した映像を、任意に加工し、編集し、表示部４で表示できるように登録設定できるようにし、また、このように設定され、加工、編集された映像を電子メールなどを用いて他の携帯端末装置、その他の装置に送信することができるように構成されている。
【００３６】
以下、このことについて、詳細に説明する。
【００３７】
先ず、本実施の形態では、先に説明したように、カメラ２９で撮影した映像（静止画、動画、いずれでも良い。）や、無線送受信部２１を介して受信した映像（静止画、動画いずれでも良い。）にそれぞれ写真ＮＯ、タイトル、撮影日時、撮影場所などを付加して、図３に示すように、映像記憶部３０に記憶可能なように構成されている。
【００３８】
すなわち、カメラ２９で撮影した場合には、図示していないが、内蔵された時計によって、その撮影日時が自動的に付与され映像記憶部３０に記憶される。また、無線送受信部２１を介して受信した場合には、その映像に日時が付与されていれば、それがそのまま映像記憶部３０に記憶され、また、付与されていない場合には、無線送受信部２１を介して受信した日時が自動的に付与され、映像記憶部３０に記憶されるように構成されている。そして、写真ＮＯは、撮影した順序、或いは、付与された日時を基に、その付与された日時の順序に自動的に付与されても良いし、また、別途、撮影場所と共に、操作部９を用いて手動で入力し、付与しても良い。
【００３９】
要するに、これらの情報は、あくまでも、映像を加工したり、編集したりする場合に、どの写真を選択するかを決定するための参考情報として使用されるものであり、上記情報のほかに、被写体を特定するジャンル、氏名、動画、静止画の区分、その他、必要な情報を付加しても良い。
【００４０】
このように、複数の映像が記憶されている状態で、次に、その中から任意の写真を選択し、どのように加工、編集するかを設定する動作について詳細に説明する。
【００４１】
図４は、本実施の形態における携帯端末装置において、映像の加工、編集をどのように設定するか、その動作を示すフローチャートである。
【００４２】
操作部９を用いて、予め定めた操作を行い、所謂、思い出設定モード（仮に呼称するモードであり、別の名称であっても良い。）にすると、図４に示すように、写真選択画面が表示部４に表示される（Ｓ４０１）。
【００４３】
写真選択画面は、例えば、図５に示す通りであり、表示画面の中に、思い出設定モードであることを表わす「思い出設定」の表示と、写真選択を促す「写真選択」の表示と、選択する写真が単独のものであるか、合成するものであるかを表す「単独」、「合成」の表示と、選択された写真のナンバーを表す「写真ＮＯ：」の表示と、映像記憶部３０に記憶された写真の一覧を表す一覧表示とを有している。ここで、表示画面に表示される写真の一覧表示は、表示画面の関係で、映像記憶部３０に記憶された写真の一部であるが、操作部９の操作によって上下にスクロールし、全てのものを順に表示することができる。
【００４４】
このようにして、写真選択画面が表示部４に表示されると（Ｓ４０１）、ここで、加工、処理したい写真が単独のものであるか、合成するものであるかを選択する（Ｓ４０２）。加工、処理したい写真が単独のものであるか、合成するものであるかを選択する場合は、図５に示す写真選択画面で「単独」、「合成」のいずれか一方を選択操作すればよい。そして、「単独」、「合成」のいずれか一方を選択操作した後、加工、処理したい写真ＮＯを選択する（Ｓ４０３）。写真ＮＯの選択は、操作部９を用いて、表示画面の「写真ＮＯ：」の欄にカーソルを合せ、写真ＮＯを直接、数字として入力しても良いが、一覧表示の中で希望する写真ＮＯの欄にカーソルを合せ、決定キーを操作して入力しても良い。このようにして写真ＮＯを選択し（Ｓ４０３）、決定操作を行うと、次に、表示画面が、加工処理方法、または、合成方法を選択する選択表示画面に切り替わる。
【００４５】
写真選択画面において、「合成」を選択していた場合（Ｓ４０４のＹ）には、合成方法選択画面が表示される（Ｓ４０５）。合成方法選択画面は、例えば、図６に示す通りであり、表示画面の中に、思い出設定モードであることを表わす「思い出設定」の表示と、合成方法の選択を促す「合成方法」の表示と、加工、処理したい写真が合成したいものであることを表す「合成写真」の表示と、選択された写真のナンバーを表示する「合成写真ＮＯ：」の表示と、合成方法の種類を表す一覧表示を有している。したがって、合成方法を選択する（Ｓ４０６）場合には、合成方法の種類を表す一覧表示を用いて、先に写真ＮＯを選択したのと同じように、希望する合成方法の位置にカーソルを合せ、決定キーを操作することにより、希望する合成方法を容易に選択することができる。そして、希望する合成方法を選択し決定キーを操作すると、次に、加工処理方法を選択する加工処理方法選択画面が表示される（Ｓ４０７）。
【００４６】
写真選択画面において、「単独」を選択していた場合（Ｓ４０４のＮ）には、合成方法の選択は必要でないため、写真ＮＯを選択し（Ｓ４０３）、決定キーを操作した段階で、加工処理選択画面が表示される（Ｓ４０７）。
【００４７】
加工処理方法選択表示画面は、例えば、図７に示す通りであり、表示画面の中に、思い出設定モードであることを表わす「思い出設定」の表示と、加工処理方法の選択を促す「加工処理方法」の表示と、加工、処理したい写真が単独のものであったか、合成したいものであったかを表す「単独」、「合成」の表示と、選択された写真ＮＯを表示する「写真ＮＯ：」の表示と、加工処理方法の種類を表す一覧表示を有している。したがって、ここで、先に選択した「単独」、「合成」の区別と写真のナンバーをそれぞれ確認し、その上で、加工処理方法の種類を表す一覧表示の中から希望する加工処理方法を選択する（Ｓ４０８）。
【００４８】
加工処理方法の選択は、先に説明した写真ＮＯの選択、合成方法の選択と同じように、希望する加工処理方法の位置にカーソルを合せ、決定キーを操作することにより、希望する加工処理方法を容易に選択することができる。
【００４９】
加工処理方法を選択すると（Ｓ４０８）、次に、制御部３３が、表示時間を入力するための表示時間入力画面に切り替える（Ｓ４０９）。
【００５０】
表示時間入力画面は、例えば、図８に示す通りであり、表示画面の中に、思い出設定モードであることを表わす「思い出設定」の表示と、選択された写真のＮＯを表示する「写真ＮＯ：」の表示と、選択された加工処理方法を表す「加工処理方法：」の表示と、選択された加工処理を何秒で行うかという加工処理時間の入力を促す「加工処理時間：」の表示と、加工された映像を何秒表示するかという表示時間の入力を促す「表示時間：」の表示と、これらの時間の一覧を表示する表示とをそれぞれ有している。したがって、ここで、加工処理時間や表示時間をそれぞれ入力する（Ｓ４１０）。
【００５１】
なお、加工処理時間や表示時間には、それぞれメーカサイドで好ましいと思われる既定値が設定されており、これらが予め「加工処理時間：」「表示時間：」の欄にそれぞれ入力されている。したがって、既定値のままで良い場合は、そのまま決定キーを操作すればよく、既定値を変更したい場合にのみ、時間一覧から希望する時間を入力する、或いは、「加工処理時間：」「表示時間：」の欄に、それぞれ既定値以外の時間を任意に直接入力するという段階を踏み、その後、決定キーを操作する。
【００５２】
このようにして、処理時間、表示時間を入力し、決定キーを操作すれば（Ｓ４１０）、次に、表示画面が、これまでに入力した情報の一覧を表示する画面に切り替わる（Ｓ４１１）。入力した情報の一覧を表示する入力情報一覧表示画面は、例えば、図９の通りであり、入力した情報がすべて表示される。そして、同じ画面上で引き続いて次の写真を選択するかどうかの入力を促す表示が現れる。ここで、次の写真を選択したい旨の入力をすれば（Ｓ４１２のＹ）、最初に説明した写真選択場面に戻り（Ｓ４０１）、これまでに説明したのと同じ動作を繰り返す。次の写真を選択しない旨の入力をした場合（Ｓ４１２のＮ）には、入力情報一覧表示で表示された情報がすべて制御部３３に登録され（Ｓ４１３）、一連の動作を終了する。
【００５３】
なお、登録された写真、加工方法などは、基本的に、入力された順に結合され表示されることになるが、この入力情報一覧表示画面において、表示する順序をそれぞれ登録することも可能である。すなわち、入力情報一覧表示画面には、表示順序を入力する欄が設けられており、この欄に表示順序を、例えば、「１」「２」「３」・・と入力すれば、それがそのまま登録されるように構成されている。そして、登録された写真でも、表示する必要がない場合には、表示順序を入力しない、或いは、「０」を入力するなどすることにより、表示されないように構成されている。
【００５４】
図１０、図１１は、それぞれ写真を加工処理した場合の動きを示すものであり、図１０（Ａ）は、単独の１枚の写真をズーム縮小加工した場合の例、（Ｂ）は同じく単独の１枚の写真を左右反転加工した場合の例、図１１（Ａ）は２枚の写真を重ね合わせ、前の写真が上下左右に移動するように加工した場合の例、（Ｂ）は、２枚の写真を斜めに接続し、それを上下反転するように加工した例を示している。
【００５５】
そして、図１２は、これらの加工した写真をそれぞれ任意に接続し、予め定めた時間毎に切替え表示されるように編集した状態を示している。
【００５６】
次に、本実施の形態において、登録された写真を、登録された内容にしたがって表示する場合の動作について、説明する。
【００５７】
本実施の形態では、先ず、筐体１、２を開放し、思い出表示の操作を行ったときに、いつでも登録された写真が登録された順に表示部４に表示されるように構成されている。
【００５８】
図１３は、その時の動作を示すフローチャートである。図１３に示すように、筐体１、２を開放し（Ｓ１３０１）、操作部９を用いて思い出表示をするための操作を行うと（Ｓ１３０２）、その状態で、事前に思い出設定されているかどうかが判断される（Ｓ１３０３）。思い出設定がされていた場合（Ｓ１３０３のＹ）には、制御部３３の制御の基で、設定登録された写真、すなわち、制御部３３に登録され、表示順序が付された写真（映像）が、それぞれ設定された表示順序の順に映像記憶部３０より読み出され（Ｓ１３０４）、設定された表示順序で映像加工処理部３１、映像編集部３２でそれぞれ合成、加工、処理され（Ｓ１３０５）、編集されて表示部４に表示される（Ｓ１３０６）。
【００５９】
そして、本実施の形態では、相手から着信があった場合、次のようにして、登録された写真（映像）が表示されるように構成されている。
【００６０】
図１４は、相手から着信があった場合の思い出表示の動作を示すフローチャートである。
【００６１】
図１４に示すように、相手から着信があると（Ｓ１４０１）、それが無線送受信部２１によって受信され、制御部３３の制御の基で、呼出信号出力部２５に呼出信号が出力される。そして、呼出信号がスピーカ２６、振動子２７、光学報知器２８にそれぞれ加えられ、これらがそれぞれ駆動し、着信を通知する（Ｓ１４０２）。ここで、図示していないが、制御部３３で制御される電話帳部が設けられており、この電話帳部には、相手の電話番号や氏名などを登録することができるように構成されている。したがって、ここに相手の電話番号や氏名などを登録しておけば、制御部３３の制御の基で、登録された電話帳部の内容に従って相手の氏名を読み出し（Ｓ１４０３）、サブ表示器に表示する（Ｓ１４０４）。
【００６２】
着信音を聴取したり、振動を感知したり、光学報知器の表示、サブ表示器に表示された氏名などを確認したりして、筐体１、２を開放すると（Ｓ１４０５のＹ）、その時点で、事前に思い出設定されているかどうかが制御部３３で判断される（Ｓ１４０６）。
【００６３】
思い出設定されている場合（Ｓ１４０６のＹ）には、設定された映像が先と同じように設定された順に映像記憶部３０より読み出され（Ｓ１４０７）、設定された順に映像加工処理部３１で合成、加工処理され、映像編集部３２で編集されて表示部４に表示される（Ｓ１４０８）。思い出設定されていない場合（Ｓ１４０６のＮ）には、相手の写真を表示するように設定されているかどうかが判断される（Ｓ１４１１）。相手の写真を表示するように設定されている場合（Ｓ１４１１のＹ）には、相手の写真を映像記憶部３０より読み出し（Ｓ１４１２）、それを表示部４に表示する（Ｓ１４０８）。
【００６４】
そして、編集された映像が表示されたり、相手の映像が表示されたりし、或いは、相手の写真を表示するように設定されていない場合（Ｓ１４１１のＮ）には、相手の写真も表示されないで、その状態で回線が閉結され（Ｓ１４０９）、通話可能な状態（Ｓ１４１０）になる。
【００６５】
すなわち、本実施の形態によれば、相手から着信があった場合、予め設定した写真を予め設定した状態で表示部４に表示することができる。そして、どのように表示させるかは、映像記憶部３０に記憶された写真を任意に選択し、任意に合成、加工、編集して表示させることができる。
【００６６】
なお、本実施の形態では、制御部３３にどの写真をどのように合成、加工、編集するかを登録しておき、それを基に、映像記憶部３０より制御部３３に登録された映像を読み出し、映像加工処理部３１で合成、加工処理し、映像編集部３２で編集するようにしているが、制御部３３のほかに、これらの情報を登録する登録部を設けても良いことは言うまでもないことである。そして、登録する情報として、どの写真をどのように合成、加工、編集するかという情報だけでなく、これらの情報に基づいて予め合成、加工、編集された映像を登録するようにしても良い。このようにすれば、制御部３３や登録部の記憶容量を余計に必要とするが、合成、加工、編集された映像を表示する場合、制御部３３、又は、登録部より単に読み出すだけで、表示することができるようになる。
【００６７】
また、本実施の形態では、どの写真をどのように合成、加工、編集するかという情報を１つだけ制御部３３又は登録部に登録しているだけであるが、これらを複数登録し、表示する場合に、その状況、或いは、操作によって任意のものを表示するようにすることも可能である。例えば、相手から着信があった場合、その相手の電話番号情報を基に、それぞれその相手との思い出の写真を合成、加工、編集したものを表示部４に表示させるように構成したり、好きな花やペットなどをそれぞれ集めて、これらを任意に合成、加工、編集したりして表示することも可能である。すなわち、本実施の形態によれば、映像記憶部３０に記憶された写真に、写真ＮＯのみならず、撮影日時、撮影場所、その他の情報（撮影相手、ジャンルなど）も記憶可能なように構成されており、したがって、これらの情報を基に、好みの写真のみを選択し、合成、加工、編集の方法をそれぞれ任意に登録しておくことができ、任意のものを選択して表示することができる。
【００６８】
また、本実施の形態では、映像記憶部３０に記憶され、合成、加工、編集される映像が写真であるとして説明しているが、これらの一部が動画であっても良いことは、言うまでもないことである。要するに、本実施の形態では、少なくとも、静止画をそのまま表示するのではなく、その静止画を一部合成、加工、編集することを特徴としている。
【００６９】
また、本実施の形態では、冒頭で説明したように、電話のみならず、電子メール、インターネットなども可能であり、合成、加工、編集された情報、映像も、それぞれ無線送受信部２１を介して、電子メール、インターネットなどで相手に送信することが可能である。また、相手からの映像も無線送受信部２１を介して受信し、制御部３３、登録部、記憶部３０などに記憶し、任意に出力して表示部４で表示することも可能である。
【産業上の利用可能性】
【００７０】
本発明は、カメラで撮影した映像、カメラで撮影した映像、相手より受信した映像をそれぞれ任意に加工処理し、組合わせ接続し、編集してそれを表示することができ、例えば、どこかへ行ったときに撮影した複数の映像をそれぞれ任意に加工編集すれば、これによってその時の思い出をより思い出らしく表示部に表示することができる効果を有し、携帯端末装置等に有用である。
【図面の簡単な説明】
【００７１】
【図１】本発明の一実施の形態における携帯端末装置の正面図
【図２】本発明の一実施の形態における携帯端末装置の概略構成を示すブロック図
【図３】本発明の一実施の形態における携帯端末装置において使用する映像記憶部の構成を示す概念図
【図４】本発明の一実施の形態における携帯端末装置において、映像の加工、編集の設定を行うための動作を示すフローチャート
【図５】本発明の一実施の形態における携帯端末装置において、合成、加工する写真を選択する場合の表示例を示す図
【図６】本発明の一実施の形態における携帯端末装置において、写真の合成方法を選択する場合の表示例を示す図
【図７】本発明の一実施の形態における携帯端末装置において、写真の加工処理方法を選択する場合の表示例を示す図
【図８】本発明の一実施の形態における携帯端末装置において、選択された写真の表示方法を選択する場合の表示例を示す図
【図９】本発明の一実施の形態における携帯端末装置において、選択された写真、合成、加工、編集方法の一覧を表示する表示例を示す図
【図１０】（Ａ）本発明の一実施の形態における携帯端末装置において、ある写真をズーム縮小するように加工した場合の動きを示す図、（Ｂ）同写真を左右反転するように加工処理した場合の動きを示す図
【図１１】（Ａ）本発明の一実施の形態における携帯端末装置において、２つの写真を重なるように合成し、かつ、一部が移動するように加工処理した場合の動きを示す図、（Ｂ）２つの写真を斜めに接続して合成し、かつ、上下反転するように加工処理した場合の動きを示す図
【図１２】本発明の一実施の形態における携帯端末装置において、複数の画像を合成、加工、編集した状態を示す図
【図１３】本発明の一実施の形態における携帯端末装置において、任意に加工、編集された映像を表示する場合の動作を示すフローチャート
【図１４】本発明の一実施の形態における携帯端末装置において、着信があった場合の動作を示すフローチャート
【符号の説明】
【００７２】
１  第１の筐体
２  第２の筐体
３  ヒンジ部
４  表示部
５  レシーバ用透孔
６  ナビキー
７  機能キー
８  テンキー
９  操作部
１０  マイク用透孔
２１  無線送受信部
２２  音声入出力部
２３  マイク
２４  レシーバ
２５  呼出信号出力部
２６  スピーカ
２７  振動子
２８  光学報知器
２９  カメラ
３０  映像記憶部
３１  映像加工処理部
３２  映像編集部
３３  制御部
【図１】
2005242643.tif 000003
【図２】
2005242643.tif 000004
【図３】
2005242643.tif 000005
【図４】
2005242643.tif 000006
【図５】
2005242643.tif 000007
【図６】
2005242643.tif 000008
【図７】
2005242643.tif 000009
【図８】
2005242643.tif 000010
【図９】
2005242643.tif 000011
【図１０】
2005242643.tif 000012
【図１１】
2005242643.tif 000013
【図１２】
2005242643.tif 000014
【図１３】
2005242643.tif 000015
【図１４】
2005242643.tif 000016